(57)【要約】      （修正有）【課題】台紙本体から再剥離用台紙領域とともにラベル本体を剥離する際に台紙本体に破けが発生しないようにして、配送センターなどにおける自動剥離および自動貼付けシステムを円滑に動作可能とした配送伝票用ラベルを提供する。【解決手段】台紙本体２に形成する再剥離用台紙領域２２の形状をテーパー形状とすることに着目し、台紙本体２に再剥離用台紙領域２２を分離可能に形成し、ラベル本体３に再剥離用台紙領域２２より小さい面積で再貼付け用ラベル領域１０を分離可能に形成し、台紙本体２の再剥離用台紙領域２２をラベル本体３の裏面に仮着したままラベル本体３を再貼付け用ラベル領域１０とともに台紙本体２から剥離して配送品に貼り付け可能とし、再剥離用台紙領域２２は、当該配送伝票用ラベルを装填する自動剥離装置における当該配送伝票用ラベルの移送方向上流側に向かってこれをテーパー形状とした。【選択図】図１
2008191549.tif 000002
【特許請求の範囲】
【請求項１】
帯状の台紙本体と、
この台紙本体の表面にその裏面を仮着してあるとともに、この台紙本体から剥離して配送品に貼り付け可能としたラベル本体と、を有する配送伝票用ラベルであって、
前記台紙本体は、前記ラベル本体の外縁部より内方の部分に再剥離用台紙領域を分離可能に形成するとともに、前記ラベル本体は、この再剥離用台紙領域の上層部にこの再剥離用台紙領域より小さい面積で再貼付け用ラベル領域を分離可能に形成し、
前記台紙本体の前記再剥離用台紙領域を前記ラベル本体の前記裏面に仮着したまま前記ラベル本体を前記再貼付け用ラベル領域とともに前記台紙本体から剥離して前記配送品に貼り付け可能とし、さらに、
前記ラベル本体の前記再貼付け用ラベル領域は、これを前記台紙本体の前記再剥離用台紙領域から剥離して他の部位に貼り付け可能としてあるとともに、
前記再剥離用台紙領域は、当該配送伝票用ラベルを装填する自動剥離装置における当該配送伝票用ラベルの移送方向上流側に向かってこれをテーパー形状としたことを特徴とする配送伝票用ラベル。
【請求項２】
前記テーパー形状は、これをホームベース形状としたことを特徴とする請求項１記載の配送伝票用ラベル。
【請求項３】
前記テーパー形状は、これを三角形状としたことを特徴とする請求項１記載の配送伝票用ラベル。
【請求項４】
前記テーパー形状は、これをＵ字形状としたことを特徴とする請求項１記載の配送伝票用ラベル。
【発明の詳細な説明】
【技術分野】
【０００１】
本発明は配送伝票用ラベルにかかるもので、とくに配送品に貼り付け可能とするとともに、返品用シール部分（再貼付け用ラベル領域）を形成してある配送伝票用ラベルに関するものである。
【背景技術】
【０００２】
従来から提案されているこの種の配送伝票用ラベル１について、図６ないし図１１にもとづき説明する。
図６は、配送伝票用ラベル１の平面図、図７は、図６のＶＩＩ−ＶＩＩ線拡大断面図であって、配送伝票用ラベル１は、たとえば、注文主（受取り人）からの発注に応じて荷物を配送する際に用いられるもので、帯状の台紙本体２と、この台紙本体２に仮着した複数枚のラベル本体３と、を有する。
すなわち、ラベル本体３は、その裏面に粘着剤層４を有し、台紙本体２の表面にその裏面を仮着してあるとともに、この台紙本体２から剥離して上記荷物（配送品）に貼り付け可能としている。
【０００３】
ラベル本体３の表面には、その配送システムに応じて、たとえば、その配送する商品の商品明細欄５、発送元欄６、受取り人欄７および受領証欄８とともに、矩形閉鎖状のラベル分離用切込み線９により再貼付け用ラベル領域１０をラベル本体３から分離可能に形成し、この再貼付け用ラベル領域１０を返品用シールとして利用可能としている。
すなわち、再貼付け用ラベル領域１０の注意書き部分１１には、たとえば、「商品を返品される際には、この『返品用シール』を返送される箱にお貼り下さいますようお願い致します。」などと記載してあるとともに、再貼付け用ラベル領域１０には、商品明細欄５の商品特定用バーコード１２と同じ内容の商品特定用バーコード１２を印刷してある。
【０００４】
台紙本体２は、上記ラベル本体３の外周縁より内方の部分に矩形閉鎖状の台紙分離用切込み線１３により再剥離用台紙領域１４を台紙本体２から分離可能に形成するとともに、ラベル本体３は、この再剥離用台紙領域１４の上層部にこの再剥離用台紙領域１４より小さい面積で上記再貼付け用ラベル領域１０を形成している。
【０００５】
図８は、配送伝票用ラベル１を自動剥離装置１５に装填して、台紙本体２からラベル本体３を機械的に自動剥離する動作を説明する拡大断面図である。
自動剥離装置１５には、必要に応じてラベル本体３への印字手段（図示せず）を備えるとともに、剥離板１６の部分で台紙本体２のみを転向させて下流側に引くことにより、台紙本体２の再剥離用台紙領域１４をラベル本体３の裏面に仮着したままラベル本体３を同一平面内の再貼付け用ラベル領域１０とともに、台紙本体２から自動剥離可能としている。
【０００６】
図９は、剥離されたラベル本体３および再貼付け用ラベル領域１０を再剥離用台紙領域１４とともに配送品Ｍに貼り付ける状態を示す断面図であって、ラベル本体３が配送伝票として配送品Ｍに貼り付けられた状態で配送先（受取り人）に配送される。
【０００７】
図１０は、ラベル本体３を再貼付け用ラベル領域１０および再剥離用台紙領域１４とともに配送品Ｍに貼り付けた状態から、再貼付け用ラベル領域１０の部分を台紙本体２（再剥離用台紙領域１４）から再剥離する動作を説明する断面図、図１１は、配送品Ｍに貼り付けてあるラベル本体３から再貼付け用ラベル領域１０を別の部位に貼り付ける状態を示す斜視図である。
図１１に示すように、ラベル本体３の再貼付け用ラベル領域１０を台紙本体２の再剥離用台紙領域１４から剥離して配送品Ｍのラベル本体３以外の他の部位に貼り付けることにより、この再貼付け用ラベル領域１０（返品用シール）を貼られた配送品Ｍが返品されたものであることを明示可能としている。
【０００８】
こうした構成の配送伝票用ラベル１においては、とくに図８に示すように、機械操作により台紙本体２からその再剥離用台紙領域１４とともにラベル本体３を剥離する際に、再剥離用台紙領域１４を形成するための台紙分離用切込み線１３の上流側隅部１３Ａ部分に移送方向における応力集中が生じ、台紙本体２の下流側への引っ張り作用にともなって剥離板１６においてこの上流側隅部１３Ａ部分から上流側に向けて台紙本体２が破けてしまうという問題がある。
したがって、配送センターなどにおける配送伝票の自動貼付けシステムの稼働に支障が生ずるという問題がある。
【０００９】
【特許文献１】特開平７−４０４７６号公報
【発明の開示】
【発明が解決しようとする課題】
【００１０】
本発明は以上のような諸問題にかんがみなされたもので、配送センターなどにおける自動剥離および自動貼付けシステムを円滑に動作可能とする配送伝票用ラベルを提供することを課題とする。
【００１１】
また本発明は、台紙本体から再剥離用台紙領域とともにラベル本体を剥離する際に台紙本体に破けが発生しないようにした配送伝票用ラベルを提供することを課題とする。
【００１２】
また本発明は、自動剥離装置の剥離板においてラベル本体を剥離する際に、台紙本体の特定部位（たとえば台紙分離用切込み線の上流側隅部など）に応力が集中しないようにした配送伝票用ラベルを提供することを課題とする。
【課題を解決するための手段】
【００１３】
すなわち本発明は、台紙本体に形成する再剥離用台紙領域の形状を配送伝票用ラベルの移送方向における上流側にテーパー形状とすることに着目したもので、帯状の台紙本体と、この台紙本体の表面にその裏面を仮着してあるとともに、この台紙本体から剥離して配送品に貼り付け可能としたラベル本体と、を有する配送伝票用ラベルであって、上記台紙本体は、上記ラベル本体の外縁部より内方の部分に再剥離用台紙領域を分離可能に形成するとともに、上記ラベル本体は、この再剥離用台紙領域の上層部にこの再剥離用台紙領域より小さい面積で再貼付け用ラベル領域を分離可能に形成し、上記台紙本体の上記再剥離用台紙領域を上記ラベル本体の上記裏面に仮着したまま上記ラベル本体を上記再貼付け用ラベル領域とともに上記台紙本体から剥離して上記配送品に貼り付け可能とし、さらに、上記ラベル本体の上記再貼付け用ラベル領域は、これを上記台紙本体の上記再剥離用台紙領域から剥離して他の部位に貼り付け可能としてあるとともに、上記再剥離用台紙領域は、当該配送伝票用ラベルを装填する自動剥離装置における当該配送伝票用ラベルの移送方向上流側に向かってこれをテーパー形状としたことを特徴とする配送伝票用ラベルである。
【００１４】
上記テーパー形状は、これをホームベース形状とすることができる。
【００１５】
上記テーパー形状は、これを三角形状とすることができる。
【００１６】
上記テーパー形状は、これをＵ字形状とすることができる。
【発明の効果】
【００１７】
本発明による配送伝票用ラベルにおいては、台紙本体に形成する再剥離用台紙領域の形状を配送伝票用ラベルの移送方向における上流側にテーパー形状としたので、自動剥離装置の剥離板において台紙本体のみが転向するように引っ張られても、台紙分離用切込み線の部分には破れ方向への応力が集中することなく、台紙本体が再剥離用台紙領域の部分で破けることを防止可能である。
【発明を実施するための最良の形態】
【００１８】
本発明は、台紙本体に形成する再剥離用台紙領域の形状を、ホームベース形状など、配送伝票用ラベルの移送方向における上流側にテーパー形状としたので、自動剥離および自動貼付けシステムに装填して処理効率向上に寄与することが可能な配送伝票用ラベルを実現した。
【実施例】
【００１９】
つぎに本発明の実施例による配送伝票用ラベル２０を図１ないし図３にもとづき説明する。ただし、図６ないし図１１と同様の部分には同一符号を付し、その詳述はこれを省略する。
図１は、配送伝票用ラベル２０の平面図、図２は、図１のＩＩ−ＩＩ線拡大断面図であって、配送伝票用ラベル２０は、前述の配送伝票用ラベル１（図６）と同様に、台紙本体２にラベル本体３を仮着してあって、ラベル本体３には、商品明細欄５、発送元欄６、受取り人欄７、受領証欄８とともに再貼付け用ラベル領域１０を形成してある。
【００２０】
再貼付け用ラベル領域１０の下層側に位置する台紙本体２には、前記台紙分離用切込み線１３による前記再剥離用台紙領域１４（図６）と同様に、台紙分離用切込み線２１による再剥離用台紙領域２２を形成しているが、この台紙分離用切込み線２１および再剥離用台紙領域２２の形状が台紙分離用切込み線１３および再剥離用台紙領域１４のそれとは異なる。
すなわち、台紙分離用切込み線２１および再剥離用台紙領域２２は、当該配送伝票用ラベル２０を装填する前記自動剥離装置１５（図８）における移送方向上流側に向かってテーパー形状を有するようにしている。
たとえば、このテーパー形状は、これをホームベース形状としている。具体的には、台紙分離用切込み線２１は、再剥離用台紙領域２２の移送方向に沿った辺に平行な線から左右一対の変更点２１Ａにおいてテーパー形状となり、最後尾の収束点２１Ｂにおいて交わっている。
【００２１】
こうした構成の配送伝票用ラベル２０においては、再剥離用台紙領域２２付きのラベル本体３を台紙本体２から剥離する際に台紙本体２が破けることがない。
すなわち、図３は、図８と同様の、配送伝票用ラベル２０を自動剥離装置１５に装填して、台紙本体２からラベル本体３を機械的に自動剥離する動作を説明する拡大断面図である。
図３に示すように、剥離板１６において台紙本体２のみが転向されて下流側に引かれても、台紙分離用切込み線２１は変更点２１Ａおよび収束点２１Ｂの部分で応力が集中することなく、台紙本体２からラベル本体３および再貼付け用ラベル領域１０を再剥離用台紙領域２２とともに、円滑に剥離することができる。
かくして、自動剥離システムないし自動貼付けシステムにおける自動剥離装置１５に配送伝票用ラベル２０を装填しても、システム全体に支障を生ずることなく、ラベル本体３の自動剥離および貼付け動作を確実に実行可能である。
【００２２】
なお本発明においては、ラベル本体３全体ないしそのデザインあるいは再貼付け用ラベル領域１０の形状などに応じて、再剥離用台紙領域２２のテーパー形状を任意に設計可能である。
たとえば、図４は、テーパー形状の第１の変形例を示す要部平面図であって、再剥離用台紙領域２３のテーパー形状は、これを三角形状（好ましくは二等辺三角形状）としてある。
こうした形状の再剥離用台紙領域２３によっても、剥離板１６の部分で台紙本体２を破くことなく自動剥離が可能である。
【００２３】
図５は、テーパー形状の第２の変形例を示す要部平面図であって、再剥離用台紙領域２４のテーパー形状は、これをＵ字形状としてある。
こうした形状の再剥離用台紙領域２４によっても、剥離板１６の部分で台紙本体２を破くことなく自動剥離が可能である。
【図面の簡単な説明】
【００２４】
【図１】本発明の実施例による配送伝票用ラベル２０の平面図である。
【図２】同、図１のＩＩ−ＩＩ線拡大断面図である。
【図３】同、配送伝票用ラベル２０を自動剥離装置１５に装填して、台紙本体２からラベル本体３を機械的に自動剥離する動作を説明する拡大断面図である。
【図４】同、テーパー形状の第１の変形例を示す要部平面図である。
【図５】同、テーパー形状の第２の変形例を示す要部平面図である。
【図６】従来の配送伝票用ラベル１の平面図である。
【図７】同、図６のＶＩＩ−ＶＩＩ線拡大断面図である。
【図８】同、配送伝票用ラベル１を自動剥離装置１５に装填して、台紙本体２からラベル本体３を機械的に自動剥離する動作を説明する拡大断面図である。
【図９】同、剥離されたラベル本体３および再貼付け用ラベル領域１０を、再剥離用台紙領域１４とともに配送品Ｍに貼り付ける状態を示す断面図である。
【図１０】同、ラベル本体３を再貼付け用ラベル領域１０および再剥離用台紙領域１４とともに配送品Ｍに貼り付けた状態から、再貼付け用ラベル領域１０の部分を台紙本体２（再剥離用台紙領域１４）から再剥離する動作を説明する断面図である。
【図１１】同、配送品Ｍに貼り付けてあるラベル本体３から再貼付け用ラベル領域１０を別の部位に貼り付ける状態を示す斜視図である。
【符号の説明】
【００２５】
１  配送伝票用ラベル（従来、図６）
２  台紙本体
３  ラベル本体
４  粘着剤層
５  商品明細欄
６  発送元欄
７  受取り人欄
８  受領証欄
９  ラベル分離用切込み線
１０  再貼付け用ラベル領域
１１  再貼付け用ラベル領域１０の注意書き部分
１２  商品特定用バーコード
１３  矩形状の台紙分離用切込み線
１３Ａ  台紙分離用切込み線１３の上流側隅部
１４  再剥離用台紙領域
１５  自動剥離装置（図８）
１６  自動剥離装置１５における剥離板
２０  配送伝票用ラベル（実施例、図１）
２１  テーパー形状の台紙分離用切込み線
２１Ａ  台紙分離用切込み線２１の変更点
２１Ｂ  台紙分離用切込み線２１の収束点
２２  再剥離用台紙領域
２３  再剥離用台紙領域（第１の変形例、図４）
２４  再剥離用台紙領域（第２の変形例、図５）
Ｍ    配送品
【図１】
2008191549.tif 000003
【図２】
2008191549.tif 000004
【図３】
2008191549.tif 000005
【図４】
2008191549.tif 000006
【図５】
2008191549.tif 000007
【図６】
2008191549.tif 000008
【図７】
2008191549.tif 000009
【図８】
2008191549.tif 000010
【図９】
2008191549.tif 000011
【図１０】
2008191549.tif 000012
【図１１】
2008191549.tif 000013